(57)【要約】【課題】静電容量方式のタッチセンサを有する表示装置において、面倒な操作を必要とせず、直感的な操作で分割表示領域のサイズを変更することを可能にする。【解決手段】表示装置１は、画像を表示する表示部１３と、ユーザによる表示部１３の表示領域上でのタッチ操作を検出する静電容量方式のタッチセンサ１２と、表示部１３での表示制御を行う制御部１０と、表示部１３の周囲に設けられたベゼル部と、を備える。制御部１０は、上記表示領域を２以上に分割してなる分割表示領域のそれぞれに画像が表示された状態で、タッチセンサ１２が分割表示領域間の境界線を含む所定太さの線の延長線上であって且つ上記ベゼル部上の点から始まる、所定のタッチ操作を受け付けた場合、上記境界線を移動させるように表示制御を行う。【選択図】図１
2015088085.tif 000002
【特許請求の範囲】
【請求項１】
画像を表示する表示部と、ユーザによる該表示部の表示領域上でのタッチ操作を検出する静電容量方式のタッチセンサと、前記表示部での表示制御を行う制御部と、前記表示部の周囲に設けられたベゼル部と、を備えた表示装置であって、
前記制御部は、前記表示領域を２以上に分割してなる分割表示領域のそれぞれに画像が表示された状態で、前記タッチセンサが前記分割表示領域間の境界線を含む所定太さの線の延長線上であって且つ前記ベゼル部上の点から始まる、所定のタッチ操作を受け付けた場合、前記境界線を移動させるように表示制御を行うことを特徴とする表示装置。
【請求項２】
前記制御部は、前記表示領域に表示されている画像とは別の画像が前記表示装置に入力可能な状態で、前記タッチセンサが前記表示領域と前記ベゼル部との間の境界線を含む所定太さの線の延長線上であって且つ前記ベゼル部上の点から始まる、前記所定のタッチ操作を受け付けた場合、前記境界線を移動させるように新たな前記分割表示領域を生成し、新たに生成した前記分割表示領域に前記別の画像を表示させるように表示制御を行うことを特徴とする請求項１に記載の表示装置。
【請求項３】
前記制御部は、前記表示領域に表示されている画像とは別の画像が前記表示装置に入力可能な状態で、前記タッチセンサが前記ベゼル部上の点から始まる、前記所定のタッチ操作を受け付けた場合、前記ベゼル部と前記表示領域との間に存在する４つの境界線のうち前記点に最も近い境界線を移動させるように新たな前記分割表示領域を生成し、新たに生成した前記分割表示領域に前記別の画像を表示させるように表示制御を行うことを特徴とする請求項１又は２に記載の表示装置。
【請求項４】
前記所定のタッチ操作は、前記点をタッチし、タッチした位置から前記境界線に略垂直な方向にスライドするスライド操作であり、
前記制御部は、前記スライド操作でスライドさせた分だけ前記境界線を前記境界線の垂直方向に移動させるように表示制御を行うことを特徴とする請求項１〜３のいずれか１項に記載の表示装置。
【請求項５】
前記所定のタッチ操作は、前記点をタッチし、タッチした位置から前記境界線に略垂直な方向に弾くフリック操作であり、
前記制御部は、所定距離だけ前記境界線を前記境界線の垂直方向に移動させるように表示制御を行うことを特徴とする請求項１〜３のいずれか１項に記載の表示装置。
【請求項６】
前記制御部は、前記境界線の移動の前後で、前記分割表示領域のそれぞれに表示されていた画像のサイズを、縦横比を保ったまま変更することを特徴とする請求項１〜５のいずれか１項に記載の表示装置。
【請求項７】
前記制御部は、前記境界線の移動の前後で、前記分割表示領域のそれぞれに表示されていた画像のサイズを、縮尺を変えないで表示範囲を変更することにより変更することを特徴とする請求項１〜５のいずれか１項に記載の表示装置。
【請求項８】
前記分割表示領域に表示される画像のそれぞれは、異なるソース機器から入力された画像であることを特徴とする請求項１〜７のいずれか１項に記載の表示装置。
【請求項９】
前記分割表示領域に表示される画像のそれぞれは、１つのソース機器から入力されたマルチウィンドウ画像を構成するウィンドウ画像であり、
前記制御部は、前記所定のタッチ操作を受け付けた場合、前記ソース機器に対して前記境界線の移動を指示し、前記ソース機器側で変更された後の前記マルチウィンドウ画像を受信して表示させることを特徴とする請求項１〜７のいずれか１項に記載の表示装置。
【請求項１０】
前記ベゼル部における少なくとも前記表示部に隣接する部分は、前記表示部の表面と同じ高さの表面を有することを特徴とする請求項１〜９のいずれか１項に記載の表示装置。
【請求項１１】
画像を表示する表示部と、ユーザによる該表示部の表示領域上でのタッチ操作を検出する静電容量方式のタッチセンサと、前記表示部での表示制御を行う制御部と、前記表示部の周囲に設けられたベゼル部と、を備えた表示装置における表示方法であって、
前記表示領域を２以上に分割してなる分割表示領域のそれぞれに画像が表示された状態で、前記タッチセンサが前記分割表示領域間の境界線を含む所定太さの線の延長線上であって且つ前記ベゼル部上の点から始まる、所定のタッチ操作を受け付けた場合、前記制御部が、前記境界線を移動させるように表示制御を行うことを特徴とする表示方法。
【発明の詳細な説明】
【技術分野】
【０００１】
本発明は、表示装置及び表示方法に関し、より詳細には、表示部の表示領域を分割してなる分割表示領域のそれぞれに異なる画像を表示させることが可能な表示装置、及びその表示装置における表示方法に関する。
【背景技術】
【０００２】
従来から、表示部の表示領域を分割してなる分割表示領域のそれぞれに異なる画像を表示させること、つまり複数画面での表示を行うことが可能な表示装置が流通している。このような複数画面表示時における分割表示領域間のサイズの比率は、固定されているか、段階的に変更可能となっている。
【０００３】
比率の変更には、リモートコントローラや表示装置の本体に設けられた操作ボタン（例えば左右キー等）を長押しして意図するところで止めるといった操作や、マウス等のポインティングデバイスを用いてそれぞれの画面を個々に拡大／縮小するといった操作が必要となる。
【０００４】
また、従来から、表示部にタッチセンサが搭載されている表示装置も流通している。特許文献１，２には、静電容量方式のタッチパネルにおいて操作領域外（ベゼル部に相当）からの入力信号を検出すると、その検出された入力信号を無効にする技術が開示されている。また、特許文献３には、静電容量方式のタッチパネルにおいて操作領域外（ベゼル部に相当）からの入力信号を検出した場合に、タッチパネルにおける静電容量値のキャリブレーションを行う技術が開示されている。
【先行技術文献】
【特許文献】
【０００５】
【特許文献１】特開２０１３−３８４１号公報
【特許文献２】特開２０１３−８８９２９号公報
【特許文献３】特開２０１２−２４２８６０号公報
【発明の概要】
【発明が解決しようとする課題】
【０００６】
しかしながら、従来技術による分割表示領域間のサイズの比率の変更方法では、上述のように操作ボタンやポインティングデバイスによる面倒な操作が必要である。
【０００７】
また、タッチパネルを搭載した表示装置であっても、操作ボタンやポインティングデバイスを用いる代わりに、表示画面（画像の表示領域）上でのタッチ操作が必要となる。このタッチ操作としては、それぞれの分割表示領域を個々に拡大／縮小させるような操作か、若しくは、それぞれの分割表示領域間の境界線を移動させるような操作が挙げられる。なお、後者の操作は、Ｍｉｃｒｏｓｏｆｔ（登録商標）  Ｗｉｎｄｏｗｓ（登録商標：以下同様。） ８．１で採用されているようなマルチウィンドウ画像に対して実行できる。しかしながら、両者の操作方法は、直感的な操作を考慮した場合、タッチする領域が重複することになるため、基本的に前者の操作か後者の操作のいずれか一方しか割り当てることができない。
【０００８】
なお、特許文献１〜３に記載の技術はいずれも、もしタッチパネルの操作領域（つまり表示領域）外からの検出結果が存在したとしても、その検出結果をノイズとして取り扱っている。
【０００９】
本発明は、上述のような実状に鑑みてなされたものであり、その目的は、静電容量方式のタッチセンサを有する表示装置において、面倒な操作を必要とせず、直感的な操作で分割表示領域のサイズを変更することを可能にすることにある。
【課題を解決するための手段】
【００１０】
上記の課題を解決するために、本発明の第１の技術手段は、画像を表示する表示部と、ユーザによる該表示部の表示領域上でのタッチ操作を検出する静電容量方式のタッチセンサと、前記表示部での表示制御を行う制御部と、前記表示部の周囲に設けられたベゼル部と、を備えた表示装置であって、前記制御部は、前記表示領域を２以上に分割してなる分割表示領域のそれぞれに画像が表示された状態で、前記タッチセンサが前記分割表示領域間の境界線を含む所定太さの線の延長線上であって且つ前記ベゼル部上の点から始まる、所定のタッチ操作を受け付けた場合、前記境界線を移動させるように表示制御を行うことを特徴としたものである。
【００１１】
本発明の第２の技術手段は、第１の技術手段において、前記制御部は、前記表示領域に表示されている画像とは別の画像が前記表示装置に入力可能な状態で、前記タッチセンサが前記表示領域と前記ベゼル部との間の境界線を含む所定太さの線の延長線上であって且つ前記ベゼル部上の点から始まる、前記所定のタッチ操作を受け付けた場合、前記境界線を移動させるように新たな前記分割表示領域を生成し、新たに生成した前記分割表示領域に前記別の画像を表示させるように表示制御を行うことを特徴としたものである。
【００１２】
本発明の第３の技術手段は、第１又は第２の技術手段において、前記制御部は、前記表示領域に表示されている画像とは別の画像が前記表示装置に入力可能な状態で、前記タッチセンサが前記ベゼル部上の点から始まる、前記所定のタッチ操作を受け付けた場合、前記ベゼル部と前記表示領域との間に存在する４つの境界線のうち前記点に最も近い境界線を移動させるように新たな前記分割表示領域を生成し、新たに生成した前記分割表示領域に前記別の画像を表示させるように表示制御を行うことを特徴としたものである。
【００１３】
本発明の第４の技術手段は、第１〜第３のいずれか１の技術手段において、前記所定のタッチ操作は、前記点をタッチし、タッチした位置から前記境界線に略垂直な方向にスライドするスライド操作であり、前記制御部は、前記スライド操作でスライドさせた分だけ前記境界線を前記境界線の垂直方向に移動させるように表示制御を行うことを特徴としたものである。
【００１４】
本発明の第５の技術手段は、第１〜第３のいずれか１の技術手段において、前記所定のタッチ操作は、前記点をタッチし、タッチした位置から前記境界線に略垂直な方向に弾くフリック操作であり、前記制御部は、所定距離だけ前記境界線を前記境界線の垂直方向に移動させるように表示制御を行うことを特徴としたものである。
【００１５】
本発明の第６の技術手段は、第１〜第５のいずれか１の技術手段において、前記制御部は、前記境界線の移動の前後で、前記分割表示領域のそれぞれに表示されていた画像のサイズを、縦横比を保ったまま変更することを特徴としたものである。
【００１６】
本発明の第７の技術手段は、第１〜第５のいずれか１の技術手段において、前記制御部は、前記境界線の移動の前後で、前記分割表示領域のそれぞれに表示されていた画像のサイズを、縮尺を変えないで表示範囲を変更することにより変更することを特徴としたものである。
【００１７】
本発明の第８の技術手段は、第１〜第７のいずれか１の技術手段において、前記分割表示領域に表示される画像のそれぞれは、異なるソース機器から入力された画像であることを特徴としたものである。
【００１８】
本発明の第９の技術手段は、第１〜第７のいずれか１の技術手段において、前記分割表示領域に表示される画像のそれぞれは、１つのソース機器から入力されたマルチウィンドウ画像を構成するウィンドウ画像であり、前記制御部は、前記所定のタッチ操作を受け付けた場合、前記ソース機器に対して前記境界線の移動を指示し、前記ソース機器側で変更された後の前記マルチウィンドウ画像を受信して表示させることを特徴としたものである。
【００１９】
本発明の第１０の技術手段は、第１〜第９のいずれか１の技術手段において、前記ベゼル部における少なくとも前記表示部に隣接する部分は、前記表示部の表面と同じ高さの表面を有することを特徴としたものである。
【００２０】
本発明の第１１の技術手段は、画像を表示する表示部と、ユーザによる該表示部の表示領域上でのタッチ操作を検出する静電容量方式のタッチセンサと、前記表示部での表示制御を行う制御部と、前記表示部の周囲に設けられたベゼル部と、を備えた表示装置における表示方法であって、前記表示領域を２以上に分割してなる分割表示領域のそれぞれに画像が表示された状態で、前記タッチセンサが前記分割表示領域間の境界線を含む所定太さの線の延長線上であって且つ前記ベゼル部上の点から始まる、所定のタッチ操作を受け付けた場合、前記制御部が、前記境界線を移動させるように表示制御を行うことを特徴としたものである。
【発明の効果】
【００２１】
本発明によれば、静電容量方式のタッチセンサを有する表示装置において、表示部の周囲に設けられたベゼル部へのタッチ操作をタッチセンサで検出し、その検出結果を利用しているため、面倒な操作を必要とせず、直感的な操作で分割表示領域のサイズを変更（調整）することが可能になる。
【図面の簡単な説明】
【００２２】
【図１】本発明の第１の実施形態に係る表示装置の一構成例を示す機能ブロック図である。
【図２】図１の表示装置におけるベゼル部近辺の一構成例を示す概略断面図である。
【図３Ａ】図１の表示装置における表示変更処理の前の状態である２画面表示状態の一例を示す図である。
【図３Ｂ】図３Ａの表示装置に対して表示変更処理を施した後の２画面表示の一例を示す図である。
【図３Ｃ】図１の表示装置における表示変更処理の前の状態である１画面表示状態の一例を示す図である。
【図３Ｄ】図３Ｂの表示装置に対して表示変更処理を施した後の３画面表示の一例を示す図である。
【図３Ｅ】図３Ｂの表示装置に対して表示変更処理を施した後の３画面表示の他の例を示す図である。
【図４】本発明の第２の実施形態に係る表示装置における表示変更処理の一例を説明するためのフロー図である。
【図５】本発明の第５の実施形態に係る表示装置の一構成例を示す機能ブロック図である。
【図６】本発明の第６の実施形態に係る表示装置の回路構成例を示す図である。
【図７】本発明の第７の実施形態に係る表示装置における表示変更処理の一例を説明するための図である。
【発明を実施するための形態】
【００２３】
本発明に係る表示装置は、画像を表示する表示部と、タッチセンサと、表示部での表示制御を行う制御部と、を備え、表示部の表示領域を分割してなる分割表示領域のそれぞれに異なる画像を表示させることが可能な装置である。
【００２４】
本発明に係る表示装置としては、それに接続された外部のソース機器から有線又は無線で出力された画像を表示できるモニタ機能を有するモニタ装置が挙げられる。上記ソース機器としては、例えば設置型のパーソナルコンピュータ（ＰＣ）やモバイルＰＣやタブレット型の端末装置（以下、タブレット端末）等の情報処理装置、携帯電話機（スマートフォンと呼ばれるものも含む）、レコーダ機器等のコンテンツ録画再生装置、ＢＤ（Blu-ray Disc：登録商標）プレーヤ等のコンテンツ再生装置などが挙げられる。
【００２５】
以下、本発明の様々な実施形態について、表示装置としてモニタ装置を例に挙げて説明するが、本発明に係る表示装置はこれに限ったものではない。より具体的には、本発明に係る表示装置は、それ自体にコンテンツを再生するコンテンツ再生機能をもたせ、設置型ＰＣやモバイルＰＣやタブレット端末等の情報処理装置、携帯電話機（スマートフォンと呼ばれるものも含む）、テレビ装置などとして構成することもできる。本発明に係る表示装置は、このようなコンテンツ再生機能を有する場合、外部のソース機器に接続するための構成を具備しないようにしてもよい。
【００２６】
（第１の実施形態）
図１は、本発明の第１の実施形態に係る表示装置の一構成例を示すブロック図である。
本実施形態に係る表示装置１は、図１で例示するように、その全体を制御する制御部１０と、タッチセンサ１２と、表示部１３と、を備えている。また、図１で例示する表示装置１は、外部のソース機器と通信するための通信部１１を備えている。
【００２７】
表示部１３は、画像を表示する表示パネルを有する。表示パネルとしては、液晶ディスプレイや有機エレクトロルミネッセンスディスプレイ等、様々な表示方式のパネルが挙げられる。通信部１１は、外部のソース機器と有線又は無線で通信するための通信インターフェイスである。この通信インターフェイスも、通信規格に応じた様々なものを適用することができる。
【００２８】
制御部１０は、表示部１３での表示制御のほか、タッチセンサ１２及び通信部１１の制御も行う。制御部１０は、プログラム保存領域に格納されたプログラムを動作させ、各種制御を行う。例えば制御部１０は、ＣＰＵ（Central Processing Unit）又はＭＰＵ（Micro Processing Unit）、作業領域としてのＲＡＭ（Random Access Memory）、及び記憶装置などの制御デバイスで構成され、その一部又は全部を集積回路／ＩＣチップセットとして搭載することもできる。
【００２９】
この記憶装置には、制御プログラム（本発明に係る表示変更処理を実行するプログラムを含む）をはじめ、ＯＳＤ（On Screen Display）画像として表示させるためのＵＩ（User Interface）画像、各種設定内容などが記憶される。この記憶装置としては、フラッシュＲＯＭ（Read Only Memory）、ＥＥＰＲＯＭ（Electrically Erasable and Programmable  ＲＯＭ）等が挙げられる。表示装置１の種類によってはこの記憶装置としてＨＤＤ（Hard Disk Drive）を採用することもできる。
【００３０】
タッチセンサ１２は、ユーザによる表示部１３の表示領域（全表示領域）上でのタッチ操作を検出する静電容量方式のセンサである。タッチセンサ１２は、タッチ操作を検出するとタッチ操作がなされた位置を特定する情報（入力座標情報）を制御部１０に渡すか、若しくは制御部１０がポーリング処理等によりタッチセンサ１２に対するタッチ操作の入力を監視する。タッチセンサ１２と、制御部１０におけるそのタッチセンサ１２を制御する部位とで、ユーザによるタッチ操作を受け付けるタッチ操作部を構成する。制御部１０は、タッチ操作部によるタッチ操作入力の検出に応答して、検出された入力座標情報を取得し、その入力座標が表示部１３の表示画面のどの位置であるかを判定し、その判定結果に基づいて表示部１３の表示画面に表示に応じた処理等を行う。
【００３１】
また、上記した静電容量方式は、指先と導電膜の間での静電容量の変化を捉えて位置を検出する方式であり、マルチタッチに対応させるために投射型の静電容量方式を採用することが好ましいが、表面型の静電容量方式を採用することもできる。静電容量方式のタッチセンサ１２は、表示部（表示パネル）１３の表面に重ねるようにパネルとして設けられており、タッチパネルとも言える。
【００３２】
また、表示装置１は、図示しない例えば電源キーや音量調整キーなどのハードウェアキー（操作ボタン）を有し、そのキーからの操作の入力を検出し、制御部１０に渡し、操作に応じた処理を制御部１０が実行する。例えば電源キーを所定時間（ｔ秒とする）以上押下されることで電源のＯＮ又はＯＦＦを実行し、ｔ秒未満の押下により操作メニューを示すＯＳＤ画像を読み出して表示部１３に重畳して表示させてもよい。このＯＳＤ画像を表示した状態で、タッチセンサ１２から表示装置１についての各種設定を受け付けるようにすればよい。
【００３３】
なお、表示装置１には、タッチ操作部や操作ボタンの他に、マウス等のポインティングデバイス、ジョイスティック、タッチパッド、トラックボールなどのいずれか１又は複数を用いて操作を受け付ける操作部を設けておいてもよい。ここで、説明の簡略化のために、この操作部で受け付ける操作としては、基本的に、後述する本発明の主たる特徴である表示変更処理（分割表示領域のサイズを変更する処理）を行うための操作は含まないものとして説明する。
【００３４】
また、表示装置１には、表示部１３の周囲にベゼル部が設けられている。このベゼル部は、基本的に表示部１３を表示装置１のキャビネットに配設するための枠（外縁）であると言える。このベゼル部について、図２を参照しながら説明する。図２は、図１の表示装置におけるベゼル部近辺の一構成例を示す概略断面図である。
【００３５】
図２で例示する表示装置１は、液晶ユニット１３ａと、その表示面側に設けられたガラス等でなる前面化粧パネル１４ａと、前面化粧パネル１４ａの液晶ユニット１３ａ側に貼り付けられたタッチパネルユニット１２ａと、液晶ユニット１３ａを前面化粧パネル１４ａとで覆うための背面キャビネット１６ａと、表示装置１の側面を覆うための側面キャビネット１６ｂと、を備えている。
【００３６】
液晶ユニット１３ａは、液晶パネル１３ｂと、その背面側に設けられた光学シート１３ｃと、光学シート１３ｃの背面側に設けられた導光板１３ｄと、導光板１３ｄの背面側に設けられた反射シート１３ｅと、ＬＥＤ（Light Emitting Diode）基板１３ｆと、を有している。ＬＥＤ基板１３ｆは、導光板１３ｄの側面から光を照射するためのＬＥＤを有し、このＬＥＤから照射された光は導光板１３ｄを介して液晶パネル１３ｂの背面から照射される。
【００３７】
また、表示装置１は、背面シャーシ１５ａと、パネル固定部材１５ｂと、ＬＥＤ基板固定部材１５ｃと、スペーサ１５ｄと、スペーサ１５ｅと、を備えている。背面シャーシ１５ａは、液晶ユニット１３ａを固定するためのシャーシであり、反射シート１３ｅの背面側に沿って設けられ、ＬＥＤ基板１３ｆの背面側に沿うように折れ曲がり、さらにタッチパネルユニット１２ａに沿って外側に折れ曲がった形状を有している。
【００３８】
背面シャーシ１５ａの端部は、スペーサ１５ｅを挟んでタッチパネルユニット１２ａに押し付けられている。また、側面キャビネット１６ｂは、背面キャビネット１６ａの端部に固定されると共に、前面化粧パネル１４ａの端部に固定されている。このような機構と、背面キャビネット１６ａと背面シャーシ１５ａとを固定する図示しない機構とにより、表示装置１の内部で背面シャーシ１５ａが固定されている。また、背面シャーシ１５ａと背面キャビネット１６ａとの間には、制御部１０等を搭載するための図示しない基板などが設けられている。
【００３９】
パネル固定部材１５ｂは、Ｌ字状の部材であり、背面シャーシ１５ａにおけるＬＥＤ基板１３ｆの背面側の部分に取り付けられると共に、その部分から折れ曲がった部分により、スペーサ１５ｄを挟んで液晶パネル１３ｂの前面側の端部に押し付けられている。このように背面シャーシ１５ａ及びパネル固定部材１５ｂにより、液晶ユニット１３ａはスペーサ１５ｄを介して挟持されている。
【００４０】
また、ＬＥＤ基板固定部材１５ｃは、階段状の形状を有し、導光板１３ｄの表示面側の端部を押さえると共に、ＬＥＤ基板１３ｆの側面を押さえ、その反対側でパネル固定部材１５ｂに固定されるように構成されている。このようにして、ＬＥＤ基板１３ｆは、ＬＥＤ基板固定部材１５ｃを介して、パネル固定部材１５ｂ及び背面シャーシ１５ａにより挟持されている。
【００４１】
前面化粧パネル１４ａは、液晶ユニット１３ａの表示領域に対応する表示領域部分１４ｄが透明になり、表示領域部分１４ｄを通して液晶ユニット１３ａの液晶パネル１３ｂで表示させた画像がユーザに視認できるように構成されている。また、前面化粧パネル１４ａは、表示領域部分１４ｄの周囲に対応するベゼル領域部分１４ｂが黒色等で着色されており、喩え液晶パネル１３ｂにおいて表示領域の外側まで画像を表示させていた場合でもユーザが視認できないように構成されている。
【００４２】
また、タッチパネルユニット１２ａにおけるタッチパネル１２ｄ（図１のタッチセンサ１２に相当）は、液晶ユニット１３ａの表示を閲覧するための表示領域部分１４ｄと同じ範囲で構成されており、その周囲にはタッチパネル１２ｄの外枠部分１２ｂが設けられている。
【００４３】
そして、表示部１３の周囲に設けられたベゼル部１７は、外枠部分１２ｂの領域を指す。また、上述のように表示部１３は、前面化粧パネル１４ａの表示領域部分１４ｄに対応する液晶ユニット１３ａの表示領域を指すことになる。
【００４４】
ここで、図２で例示したように、表示部１３の表面とベゼル部１７とが段差無くフラットであることが好ましい。本発明に係る表示装置１では、その主たる特徴として後述するように、ベゼル部１７上でのタッチ操作をタッチセンサ１２で検知する必要があり、フラットである方が表示画面に別途部材を被せてベゼル部を形成する場合に比べて、ベゼル部１７上でのタッチ（ベゼルタッチ）の位置からセンサへの距離が近く、センサの感度が良好であるためである。
【００４５】
また、金属は静電容量として検知されるため、表示部１３の表面だけでなくベゼル部１７でも金属を使用しないようにする。ベゼル部１７は、例えばガラスや絶縁性樹脂を使用して形成しておけばよい。図２の例では、表示させた画像に対するタッチ操作を受け付ける操作領域（つまり表示領域）以外の領域であるベゼル部１７を、前面化粧パネル１４ａにおいてベゼル領域部分１４ｂだけ黒色シートを挟むか黒塗りするなどして着色して形成している。
【００４６】
また、図２では、一般的にフルフラットと呼ばれるように、ベゼル部の全てで表示画面とフラットとなった例を挙げているが、これに限らず、ベゼル部においてタッチ操作を受け付ける範囲の幅だけフラットであればよい。つまり、ベゼル部１７における少なくとも表示部１３に隣接する部分は、表示部１３の表面と同じ高さの表面を有することが好ましい。但し、タッチセンサ１２の検出感度によっては、ベゼル部は表示部１３の表示領域の表面（図２の例では表示領域部分１４ｄ）に対して若干の高さをもたせてもよく、その場合、ベゼル部として、表示領域の表面と水平な面（表示領域の表面の周囲に位置する面）に有色の絶縁性樹脂を被せるなどの構造を採用すればよい。
【００４７】
また、図２では、液晶パネル１３ｂを有する例を挙げて説明したが、他の表示方式でも同様の考え方でベゼル部が定義できる。また、液晶パネル１３ｂを採用する場合にも、表示装置１の断面形状は、図２で例示する構成に限ったものではなく、表示部１３とベゼル部１７とが区別可能であり、タッチセンサ１２が表示部１３の表示領域に対するタッチ操作を検出するために同じ範囲で設けられていればよい。
【００４８】
次に、本発明の主たる特徴について説明する。まず、制御部１０は、表示部１３の表示領域（ユーザが視認できる全表示領域）を２以上に分割してなる分割表示領域のそれぞれに画像が表示された状態になるように表示制御を行う。この表示制御自体は、既存の複数画面表示技術で実現できる。
【００４９】
そして、本発明の主たる特徴として、制御部１０は、このような状態で、タッチセンサ１２が分割表示領域間の境界線を含む所定太さの線の延長線上であって且つベゼル部１７上の点から始まる、所定のタッチ操作を受け付けた場合、上記境界線を移動させるように表示制御を行う。ここで、上記所定の太さの線の延長線上とは、上記境界線を挟む所定範囲（好ましくは上記境界線を中心とする所定範囲）の長方形をその長手方向に伸ばした範囲内を指す。このような表示変更処理について詳細に説明する。
【００５０】
上記点から始まる上記所定のタッチ操作を受け付けたか否かの判定は、制御部１０側で行うか、若しくはタッチセンサ１２自身で行うようにタッチセンサ１２を構成しておけばよい。
【００５１】
まず、タッチセンサ１２では、表示部１３の表示領域上の各座標においてセンサをマトリクス状に配置し、各座標で静電容量を検出するように構成しておく。本発明では、上記表示領域外であるベゼル部１７上の点がタッチされたことを検出する必要があるが、そのために、静電容量方式の性質を利用し、従来ノイズとして取り扱われていた検出結果を用いる。
【００５２】
ベゼル部１７上の点であること（以下、条件Ｉとする）の判定は、例えば、表示部１３表示領域の端部（ベゼル部１７との境界に一番近い検出座標）がタッチされたときに検出される静電容量の変化量と、ベゼル部１７上でタッチ操作がなされたときに上記一番近い検出座標やそれ付近の検出座標で検出される静電容量の変化量との違いにより、判定することができる。
【００５３】
前者の静電容量の変化量の方が後者の静電容量の変化量より大きいため、表示領域上のタッチを検出するための閾値（閾値Ｔｈとする）より小さなある閾値（閾値Ｔｈ１とする）を設けておき、検出レベルが閾値Ｔｈ以上であった場合に表示部１３の表示領域上でタッチがなされたと判定し、検出レベルが閾値Ｔｈより小さく閾値Ｔｈ１以上であった場合にベゼル部１７上でタッチがなされたと判定すればよい。なお、閾値Ｔｈ１より小さい検出結果は、表示部１３でもベゼル部１７上でもタッチされていない場合に発生したノイズとして取り扱う。閾値はベゼル部１７の材質や高さなどによって異なるが、例えばＴｈ＝１０×Ｔｈ１などとして定めておけばよい。
【００５４】
このような検出レベルの判定に加えて、或いは検出レベルの判定の代わりに、マトリクス状に配置したタッチセンサ１２の各座標からの出力信号が示す波形の違いによっても、ベゼル部１７上の点がタッチされたのか、或いは表示部１３の表示領域の端部（ベゼル部１７との境界に一番近い検出座標）がタッチされたのかを判別することができる。
【００５５】
例えば、表示部１３の表示領域の非端部において、横方向に配置したセンサからの出力信号及び縦方向に配置したセンサからの出力信号は共に、実際にユーザがタッチした位置の座標において０となり、その前側の座標（又は後側の座標）で大きな山を形成し、その後側の座標（又は前側の座標）でマイナス側に大きな山を形成する、といったタッチセンサ１２を用いる。
【００５６】
このようなタッチセンサ１２においては、表示部１３の表示領域の端部（ベゼル部１７との境界に一番近い検出座標）でタッチされた場合でも、タッチした位置の座標を挟んで出力信号がプラスとマイナスとなるような波形（波形ａとする）となる。なお、このような波形となる理由は、タッチセンサ１２で上記一番近い検出座標でのタッチ操作を検出可能とするために、上記一番近い検出座標に続くベゼル部１７の範囲内の僅かな行（横長のベゼル部の場合）又は列（縦長のベゼル部の場合）の座標にもセンサを配置しているためである。
【００５７】
一方で、ベゼル部１７上でタッチされた場合、上記一番近い検出座標付近からの出力信号は、ベゼル部１７の長手方向に沿った座標軸においては上記一番近い検出座標を挟んで出力信号がプラスとマイナスになるような波形ａと同様の波形を示すものの、ベゼル部１７の短手方向（ベゼル部１７の幅方向）に沿った座標軸においては上記一番近い検出座標でプラスかマイナスかのいずれかとなるような波形（波形ａの半周期より短い波形）を示す。よって、このような波形の違いによっても、ベゼル部１７上の点がタッチされたのか、或いは表示部１３の表示領域の端部がタッチされたのかを判別することができる。
【００５８】
次に、境界線を含む所定太さの線の延長線上の点であること（以下、条件ＩＩとする）の判定方法について、縦線の境界線が存在する場合を例に挙げて説明する。タッチセンサ１２で表示装置１の上端又は下端にあるベゼル部１７上においてタッチが検出された場合、そのタッチされた点の横方向の座標を、上記縦線の境界線を含む所定太さの線の横方向の座標範囲と比較し、その座標がその座標範囲内に入っていれば、境界線を含む所定太さの延長線上の点であると判定（認識）すればよい。横線の境界線が存在する場合にも、表示装置１の右端又は左端にあるベゼル部１７上においてタッチが検出された場合に、同様の考え方で判定すればよい。
【００５９】
なお、このように境界線そのものではなく、それを含む所定太さの線で判定する理由は、ユーザが境界線の延長線上を常に正確にタッチすることが難しいためであり、境界線の延長線上をタッチしようとしてユーザがタッチ操作したとみなす範囲を広くするためである。
【００６０】
上記所定のタッチ操作であること（以下、条件ＩＩＩとする）の判定は、上記所定のタッチ操作をどのように定義しておくかにより決まる。
【００６１】
一例として、上記所定のタッチ操作は、上記点をタッチし、タッチした位置から上記境界線に略垂直な方向にスライドするスライド操作であると定義しておけばよい。なお、このスライド操作は、タッチして離さないまま移動して止める操作であり、スワイプ操作とも呼ばれる。また、この例に限らず、タッチはユーザの指又はタッチペンで行えばよい。なお、タッチセンサ１２の検出方式は静電容量方式であるため、このタッチペンは電磁誘導方式などのように電力を必要とするものではなく、単にペン先に例えば導電性のシリコンゴムなどを用いたものであればよい。
【００６２】
また、上記スライド操作は、４辺あるベゼル部１７のいずれの辺でも受け付けるようにしておけばよい。但し、例えば表示装置１を横長に置いた場合の上端に該当する辺のベゼル部１７だけ受け付けないようにするなど、少なくとも１辺で受け付け可能に構成しておけば、少なくとも一方向の境界線の移動に対応でき、少なくとも２辺で受け付け可能に構成しておけば縦方向及び横方向のいずれの境界線の移動に対応できる。また、受け付ける辺を限定する場合には、限定する辺を固定しておくのではなく、図示しない画面向き検出部で検出された表示装置１の向きに応じて、限定する辺を変更するようにしてもよい。
【００６３】
この場合、制御部１０は、上記スライド操作でスライドさせた分だけ上記境界線を上記境界線の垂直方向に移動させるように表示制御を行うことが好ましい。代わりに、制御部１０は、上記スライド操作を受けた方向に所定距離だけ上記境界線を移動させるように表示制御するようにしてもよい。
【００６４】
また、スライド操作の代わりに、上記所定のタッチ操作は、上記点をタッチし、タッチした位置から上記境界線に略垂直な方向に弾くフリック操作であると定義付けすることもできる。この場合、制御部１０は、所定距離だけ上記境界線を上記境界線の垂直方向に移動させるように表示制御を行えばよい。上記フリック操作についても、上記スライド操作と同様に、４辺あるベゼル部１７のいずれの辺でも受け付けるようにしてもよいし、受け付ける辺を限定してもよいし、その限定も表示装置１の向きに応じて変更してもよい。
【００６５】
補足的に、スライド操作とフリック操作との判定方法の違いについて説明する。両者の区別は、例えば（１）タッチしている期間、（２）タッチ開始の位置、（３）タッチ開始時の静止期間、のいずれかにより判定することができる。
【００６６】
上記（１）では、タッチ後、平行移動させ、タッチが離されるまでの期間が第１の所定時間よりも短い場合はフリック操作がなされたと判定し、第１の所定時間以上であった場合はタッチを離した位置までのスライド操作がなされたと判定する。上記（２）では、境界線を含む所定太さの線の範囲内であって境界線から所定範囲内の距離からタッチが開始された場合はスライド操作がなされたと判定し、上記所定太さの線の範囲内であって上記所定範囲外の距離からタッチが開始された場合はフリック操作がなされたと判定する。
【００６７】
上記（３）では、タッチ開始時に第２の所定時間以上の静止状態が続いた場合はスライド操作がなされたと判定し、タッチ開始時に静止しなかった場合（第２の所定時間未満の場合）はフリック操作であると判定する。但し、例えばＷｉｎｄｏｗｓ ７以降では、長押しのタッチをマウス等のポインティングデバイスによる右クリック操作に割り当てているため、上記（３）においてスライド操作と判定した場合（及びフリック操作と判定した場合）は、ＯＳＤ表示などでその判定結果を表示するようにすることが好ましい。
【００６８】
次に、境界線を移動させるような表示制御について、図３Ａ及び図３Ｂを参照しながら実際の使用場面を例に挙げて説明する。図３Ａは、図１の表示装置における表示変更処理の前の状態である２画面表示状態の一例を示す図で、図３Ｂは、図３Ａの表示装置に対して表示変更処理を施した後の２画面表示の一例を示す図である。
【００６９】
ここでは、分割表示領域に表示される画像のそれぞれが異なるソース機器から入力された画像であるものとして説明する。図１で例示した表示装置１には、第１画像と第２画像の合計２つの画像が入力されている。特にここでは、図３Ａで示すように、第１画像２０ａがＰＣ４ｐから入力され、第２画像２０ｂがスマートフォン４ｓから入力され、第１画像２０ａと第２画像２０ｂがそれぞれ別の分割表示領域に表示されている場面を例に挙げる。
【００７０】
なお、第２画像２０ｂは、スマートフォン４ｓにおいてその表示部４６に表示される画像４６ａと同じ画像とする。また、図３Ａで例示する表示装置１は、ＰＣ４ｐ、スマートフォン４ｓのいずれに対しても２本のケーブルで接続されている。そのうち１本が画像を伝送するためのケーブルであり、他の１本がタッチ操作部によるタッチ操作などのユーザ操作の情報をソース機器側に送信するためのケーブルである。
【００７１】
前者のケーブルとしては、例えばHigh-Definition Multimedia Interface（ＨＤＭＩ：登録商標、以下同様）規格やMobile High-definition Link（ＭＨＬ：登録商標、以下同様）規格のケーブルが挙げられる。後者のケーブルとしては、例えばUniversal Serial Bus（ＵＳＢ：登録商標、以下同様）規格のケーブルが挙げられる。また、図３Ｂや後述の図３Ｃ〜図３Ｅではソース機器の図示を省略している。なお、無線で接続する場合には、例えば、Ｍｉｒａｃａｓｔ対応のＨＤＭＩアダプタ、ＷｉＦｉ（登録商標）規格の無線機器などを、表示装置１やソース機器に搭載しておけばよい。
【００７２】
図３Ａの例では、分割表示領域が左右に２つ存在し、その境界線は縦方向となっており、その境界線の延長線は上端と下端にあるベゼル部１７で交わっている。そして、図３Ａでは、下端にあるベゼル部１７に対するスライド操作を行う例を挙げる。図３Ａに示すようにユーザが指Ｆで、分割表示領域間の境界線を含む所定太さの線の延長線上であって且つベゼル部１７上の点から始まる、左方向へのスライド操作を行った場合、タッチセンサ１２がそれを受け付け、制御部１０は、図３Ｂに示すようにその境界線をスライドさせた分だけ移動させるように表示制御を行う。
【００７３】
ここで、境界線を移動させることは、制御部１０が、その境界線を認識すると共に、その境界線に垂直な方向（この例では横方向）における分割表示領域間での比率を変更させることを意味する。図３Ａから図３Ｂへの表示状態の変更例では、第１画像２０ａが横方向に縮小されて第１画像２０ｃとなり、第２画像２０ｂが横方向に拡大されて第２画像２０ｄとなっている。また、この例では、制御部１０は、上記境界線の移動の前後（分割表示領域のサイズの変更の前後）で、分割表示領域のそれぞれに表示されていた画像のサイズを、縦横比を保ったまま縮小／拡大処理（スケーリング処理）により変更している。また、このようなスケーリング処理だけでなく、必要に応じて黒帯付加又は黒帯除去の処理を施せばよい。
【００７４】
２画面表示時における画面サイズの変更は、従来ではメニュー等から左右キーなどで調整していたが、本実施形態では、図３Ａ及び図３Ｂで例示したようにこの調整をベゼル部１７へのタッチ操作（ベゼルタッチ）により行っている。これにより、本実施形態では、視覚的・感覚的にも優れた２画面の比率変更を行うことができる。また、ベゼルタッチを利用しているため、表示領域へのタッチ操作やその応答を制限するものではなく、従来通りの表示領域へのタッチ操作が可能である。
【００７５】
代替処理として、制御部１０は、上記境界線の移動の前後で、分割表示領域のそれぞれに表示されていた画像のサイズを、縮尺を変えないで表示範囲を変更することにより変更するようにしてもよい。縮尺を変えないで表示範囲を変更するとは、移動前の状態から表示画像を一部隠すか、隠れていた部分を表示させるようにすることを指す。この場合にも、必要に応じて黒帯付加又は黒帯除去の処理を施せばよい。
【００７６】
以上のように、本実施形態に係る表示装置１では、表示部１３の周囲に設けられたベゼル部１７へのタッチ操作（つまり画面の領域外でのタッチ操作）をタッチセンサ１２で検出し、その検出結果を利用しているため、面倒な操作を必要とせず、直感的な操作で分割表示領域のサイズを変更（調整）することが可能になる。換言すれば、本実施形態では、分割表示領域間でのサイズの比率を変更するような表示変更処理が、ベゼル部１７上で且つ境界線のほぼ延長線上の点から始まる所定のタッチ操作という、視覚的・感覚的にユーザの意図と合致したタッチ操作により実現できるため、操作性が向上する。
【００７７】
なお、本実施形態を含め、本発明の表示変更処理について、上記分割表示領域が矩形であることを前提として説明しているが、上記分割表示領域が矩形でなくてもその上下方向の範囲と左右方向の範囲さえ分かれば、その範囲の４辺を境界線として取り扱うことで、同様の表示変更処理が実行できる。また、本実施形態も含め、本発明の表示変更処理において、タッチ操作とそれに応じた表示変更処理のタイミング、つまり表示変更処理を実行する間隔は任意に決めておけばよい。
【００７８】
（第２の実施形態）
本発明の第２の実施形態について、図３Ｃ、図３Ｄ、及び図４を併せて参照しながら説明する。図４は、本発明の第２の実施形態に係る表示装置における表示変更処理の一例を説明するためのフロー図である。また、図３Ｃは、図１の表示装置における表示変更処理の前の状態である１画面表示（全画面表示）状態の一例を示す図で、図４の表示変更処理を説明するための図である。また、図３Ｄは、図３Ｂの表示装置に対して表示変更処理を施した後の３画面表示の一例を示す図である。本実施形態について、第１の実施形態との相違点を中心に説明するが、第１の実施形態で説明した様々な応用例も同様に適用できる。
【００７９】
本実施形態における制御部１０は、第１の実施形態における表示変更処理（第１表示変更処理と言う）に加え、次に説明するような表示変更処理（第２表示変更処理と言う）も行う。
【００８０】
上記第２表示変更処理は、表示部１３の表示領域に表示されている画像（１つの画像又は分割表示領域のそれぞれの画像）とは別の画像が表示装置１に入力可能な状態で、タッチセンサ１２が上記表示領域とベゼル部１７との間の境界線を含む所定太さの線の延長線上であって且つベゼル部１７上の点から始まる、上記所定のタッチ操作を受け付けた場合に実行される。
【００８１】
ここで、上記入力可能な状態とは、最も単純な例を挙げると、図３Ｃで例示するように表示領域に１つの画像（第１画像２０ｅ）が表示された状態で且つその１つの画像とは別の画像（第２画像４６ａ）が表示装置１に入力されていた状態を指す。このように、上記入力可能な状態としては、実際に入力されている状態であることが望ましいが、制御部１０からの入力指示により入力可能な状態になっていればよい。
【００８２】
また、ここでの境界線とは、表示部１３の表示領域を示す４辺（表示領域の外枠線分）のいずれかを指す。また、その境界線の延長線上であってベゼル部１７上の点とは、上記表示領域のある辺（辺Ａとする）の延長線上であってベゼル部１７の別の辺（上記辺Ａと垂直な辺）上の点を指す。例えば、図３Ｃのように、表示装置１の右側にある境界線（辺）の延長線上であって下側のベゼル部１７上の点から始まる、所定のタッチ操作を受け付けた場合に、上記第２表示変更処理が施される。また、上記所定のタッチ操作としては、ベゼル部１７と上記表示領域との間に存在する境界線に略垂直な方向へのスライド操作やフリック操作が適用できる。
【００８３】
そして、上記第２表示変更処理では、制御部１０が、上記境界線を移動させるように新たな分割表示領域を生成し、新たに生成した分割表示領域に上記別の画像を表示させるように表示制御を行う。
【００８４】
図３Ｃ及び図３Ｂを参照しながら、上記所定のタッチ操作として上記スライド操作を採用した例を挙げて説明する。図３Ｃのように第１画像２０ｅが表示された状態で、ユーザが指Ｆで表示装置１の右側にある境界線（辺）を含む所定太さの線の延長線上であって下側（又は上側）のベゼル部１７上の点から始まる、上記スライド操作を行った場合、タッチセンサ１２がそれを検出し、制御部１０に渡す。制御部１０は、そのスライド分だけ境界線を移動させて１つの新たな分割表示領域を生成し、その新たな分割表示領域に上記別の画像（入力可能な第２画像４６ａ）を表示させるように表示制御を行う。
【００８５】
例えば、ユーザが図３Ｂで例示する指Ｆの位置までスライドした場合、制御部１０は、図３Ｂのように元の表示領域に表示されていた第１画像２０ｅを縮小して第１画像２０ｃを表示させ、新たな分割表示領域に第２画像４６ａを拡大した第２画像２０ｄを表示させることになる。
【００８６】
なお、逆に、タッチセンサ１２が左側の辺を含む所定太さの線の延長線上であって下側又は上側のベゼル部１７上の点から始まる、上記スライド操作を検出した場合、制御部１０は、左側に第２画像２０ｄを表示させ右側に第１画像２０ｃを表示させることになる。また、横方向の境界線（上側又は下側の辺）を含む所定太さの線の延長線上であって左側又は右側のベゼル部１７上の点から始まる、上記スライド操作を受け付けた場合には、制御部１０は、同様にその境界線を上下方向に移動させて新たな分割表示領域に上記別の画像を表示させる表示制御を行えばよい。
【００８７】
ここで、上記表示領域に表示されていた画像が分割表示領域のそれぞれに表示された複数の画像で構成される場合にも、その全体の画像とは別の分割表示領域に上記別の画像を表示させればよい。これにより、上記全体の画像も全体的にスケーリング処理等により縮小されることになる。このとき、上記全体の画像については各画像の分割表示領域毎にスケーリング処理等を行えばよい。
【００８８】
但し、上記境界線（辺）の一部のみを移動させ、ある分割表示領域についてはスケーリング処理等を施さないようにすることもできる。図３Ｂ及び図３Ｄを参照しながら、上記所定のタッチ操作として上記スライド操作を採用した例を挙げて説明する。そして、図３Ｂの表示状態において且つ新たな画像（図３Ｄの画像２０ｈ）が入力された状態において、ユーザが図３Ｄで例示するように指Ｆをスライドした場合について説明する。
【００８９】
この場合、制御部１０は、元の表示領域に表示されていた第１画像２０ｃ及び第２画像２０ｄのうち、第２画像２０ｄをそのまま表示させ（図３Ｄでは第２画像２０ｇと表記）、第１画像２０ｃを縮小した第１画像２０ｆを表示させ、その縮小させた分により生成された新たな分割表示領域に第３画像２０ｈを表示させる。このように、元の表示領域に縦長の画像２０ｄと横長の画像２０ｃが表示されており、且つ新たに表示させる別の画像２０ｈが横長である場合には、縦長の画像２０ｄを、スケーリング処理等を施さずそのまま表示させるようにすればよい。
【００９０】
図４を参照しながら、ベゼルタッチを検知した場合の表示制御（描画制御）の一例について説明する。ここでは、説明の簡略化のために、上記所定のタッチ操作としてスライド操作を採用し、表示装置１では全画面表示、２画面表示のいずれかの表示が可能であるものとして説明する。
【００９１】
まず、制御部１０がタッチセンサ１２からの検出結果に基づきベゼルタッチが発生したか否かを判定する（ステップＳ１）。ベゼルタッチが発生した場合（ステップＳ１でＹＥＳの場合）、制御部１０は、現在の画面構成を確認し、２画面構成であるか否かを判定する（ステップＳ２）。
【００９２】
２画面構成でなかった場合（ステップＳ２でＮＯの場合）、すなわち全画面表示（１画面表示）であった場合、制御部１０は、２画面構成にするための別の画像の入力が可能なソース機器が他にあるかを確認する（ステップＳ３）。他にない場合（ステップＳ３でＮＯの場合）、制御部１０は、ステップＳ１で受け付けたベゼルタッチの操作を無効として取り扱い、ステップＳ１に戻って次のベゼルタッチを待つ。
【００９３】
ステップＳ２でＹＥＳの場合、制御部１０は、ベゼルタッチにおけるスライド操作の終端位置から分割表示領域（２画面）の比率を割り出し（ステップＳ４）、その比率に基づきスケーリング処理等を施すことで、それぞれの画面の再構築（表示変更処理）を行う（ステップＳ５）。また、ステップＳ３でＹＥＳの場合、つまり２画面構成が可能な場合にも、ステップＳ４，Ｓ５の処理を実行する。
【００９４】
また、本実施形態における第２表示変更処理において、上記所定のタッチ操作として上記フリック操作を採用した場合には、第１表示変更処理と同様に所定距離だけ辺（境界線）を移動させるように新たな分割表示領域を生成し、その新たな分割表示領域に上記別の画像を表示させればよい。
【００９５】
以上のように、本実施形態に係る表示装置１では、新たな分割表示領域を増やすような表示変更処理も、ベゼル部１７上で且つ境界線のほぼ延長線上の点から始まる所定のタッチ操作という、視覚的・感覚的にユーザの意図と合致したタッチ操作により実現できるため、操作性が向上する。
【００９６】
また、逆に、図３Ｂの表示状態において、ユーザが指Ｆを図３Ｂに示す位置から右方向に右側のベゼル部１７に到達するまでスライドさせた場合、タッチセンサ１２がそれを検出して、制御部１０が図３Ｃの表示状態のように分割表示領域を１つ削除するように表示制御を行い、結果的に第１画像２０ｅのみを表示させるようにしてもよい。
【００９７】
すなわち、タッチセンサ１２が分割表示領域間の境界線を含む所定太さの線の延長線上であって且つベゼル部１７上の点から始まる、上記スライド操作（境界線に略垂直な方向へのスライド操作）を受け付けた場合、その境界線を移動させるように表示制御を行い、最終的にタッチセンサ１２が上記表示領域とベゼル部１７との間の境界線を含む所定太さの線の延長線上であって且つベゼル部１７上の点に至る上記スライド操作を受け付けた場合、その境界線をベゼル部１７まで移動させ分割表示領域を削除するように表示制御を行う。
【００９８】
また、スライド操作の代わりにフリック操作でもこのような削除を行うことはできる。具体的には、第１の実施形態における第１表示変更処理において、タッチセンサ１２が分割表示領域間の境界線を含む所定太さの線の延長線上であって且つベゼル部１７上の点から始まる、フリック操作（境界線に略垂直な方向へのフリック操作）を受け付けた場合、制御部１０がその境界線をベゼル部１７まで移動させ分割表示領域を削除するように表示制御を行うようにすればよい。すなわち、第１表示変更処理において、上記所定距離を、その境界線からベゼル部１７までの距離としておけば、上記フリック操作により図３Ｂの表示状態から図３Ｃの表示状態への表示変更処理が実現できる。
【００９９】
（第３の実施形態）
本発明の第３の実施形態について、図３Ｅを併せて参照しながら説明する。図３Ｅは、図３Ｂの表示装置に対して表示変更処理を施した後の３画面表示の他の例を示す図である。本実施形態について、第１，第２の実施形態との相違点を中心に説明するが、第１，第２の実施形態で説明した様々な応用例も同様に適用できる。
【０１００】
本実施形態における制御部１０は、第１表示変更処理に加え、若しくは第１表示変更処理及び第２表示変更処理に加え、次に説明するような表示変更処理（第３表示変更処理と言う）も行う。
【０１０１】
上記第３表示変更処理は、上記表示領域に表示されている画像（１つの画像又は分割表示領域のそれぞれの画像）とは別の画像が表示装置１に入力可能な状態で、タッチセンサ１２がベゼル部１７上の点から始まる、上記所定のタッチ操作を受け付けた場合に実行される。なお、上記入力可能な状態については、第２の実施形態で説明した通りである。また、上記所定のタッチ操作としては、ベゼル部１７と上記表示領域との間に存在する境界線に略垂直な方向へのスライド操作やフリック操作が適用できる。
【０１０２】
そして、上記第３表示変更処理では、制御部１０が、ベゼル部１７と上記表示領域との間に存在する４つの境界線（上記表示領域を示す４辺）のうち上記点に最も近い境界線を移動させるように新たな分割表示領域を生成し、新たに生成した分割表示領域に上記別の画像を表示させるように表示制御を行う。ここで、上記表示領域に表示されていた画像が分割表示領域のそれぞれに表示された複数の画像で構成される場合には、第２の実施形態と同様に、その全体の画像とは別の分割表示領域に上記別の画像を表示させればよい。
【０１０３】
なお、上記点がベゼル部１７の角部に存在する場合、特に上記点に最も近い境界線が４辺のうちの２辺のいずれとも判定できる場合には、予め定めた一方の辺に上記点が存在すると判定するか、若しくはそのタッチ操作を無視するなどすればよい。
【０１０４】
図３Ｂ及び図３Ｅを参照しながら、上記所定のタッチ操作として上記フリック操作を採用した例を挙げて説明する。図３Ｂの表示状態のように第１画像２０ｃ及び第２画像２０ｄが２画面表示された状態で、図３Ｅで例示したようにユーザが指Ｆで表示装置１の右側のベゼル部１７上の点から始まる、フリック操作を行った場合、タッチセンサ１２がそれを検出し、制御部１０に渡す。このフリック操作は、表示領域の右辺に垂直な方向へのフリック操作とし、好ましくは表示領域の内部方向へ向かうフリック操作とする。
【０１０５】
制御部１０は、第１表示変更処理と同様に、所定距離だけ上記点に最も近い（この例では右側の）辺（境界線）を移動させるように新たな分割表示領域を生成し、その新たな分割表示領域に上記別の画像（入力可能な第３画像２０ｋ）を表示させるように表示制御を行う。その結果、制御部１０は、元の表示領域に表示されていた第１画像２０ｃ、第２画像２０ｄを縮小して図３Ｅのようにそれぞれ第１画像２０ｉ、第２画像２０ｊを表示させ、新たな分割表示領域に第３画像２０ｋを表示させることになる。なお、第３画像２０ｋは、図３ＡのＰＣ４ｐやスマートフォン４ｓとは異なるソース機器から入力された画像に対し、必要に応じてスケーリング処理等を施した画像である。
【０１０６】
なお、逆に、タッチセンサ１２が左側のベゼル部１７上の点から始まる、上記フリック操作を検出した場合、制御部１０は、左側に第３画像２０ｋを表示させ、その右側に第１画像２０ｉを表示させ、さらにその右側に第２画像２０ｊを表示させることになる。
【０１０７】
また、上側又は下側のベゼル部１７上の点から始まる、上記フリック操作（表示領域の上辺や下辺に垂直な方向へのフリック操作）を受け付けた場合には、制御部１０は、同様に辺（境界線）を移動させて新たな分割表示領域に上記別の画像を表示させる表示制御を行えばよい。例えば、上側のベゼル部１７上の点から始まるフリック操作であった場合、上側に第３画像２０ｋを表示させ、その下側に第１画像２０ｉと第２画像２０ｊを並べた状態で表示させればよい。但し、第２の実施形態で図３Ｂ及び図３Ｄを参照しながら説明したように、上記辺（境界線）の一部のみを移動させ、ある分割表示領域についてはスケーリング処理等を施さないようにすることもできる。
【０１０８】
また、本実施形態における第３表示変更処理において、上記所定のタッチ操作として上記スライド操作を採用した場合には、上記点に最も近い（この例では右側の）辺（境界線）をそのスライド分だけ移動させて１つの新たな分割表示領域を生成するようにしてもよい。但し、ベゼル部１７の幅は狭いことが想定されるため、この場合にもフリック操作時と同様に、所定距離だけ上記点に最も近い（この例では右側の）辺（境界線）を移動させるように新たな分割表示領域を生成することが好ましい。いずれの場合も、新たな分割表示領域には上記別の画像を表示させることになる。
【０１０９】
以上のように、本実施形態に係る表示装置１においても、第２の実施形態と同様に、新たな分割表示領域を増やすような表示変更処理も、ベゼル部１７上の点から始まる所定のタッチ操作という、視覚的・感覚的にユーザの意図と合致したタッチ操作により実現できるため、操作性が向上する。
【０１１０】
また、逆に、図３Ｅの表示状態において、ユーザが指Ｆを図３Ｅに示す位置から右側のベゼル部１７から右方向にフリック又はスライドさせた場合、タッチセンサ１２がそれを検出して、制御部１０が図３Ｂの表示状態のようにフリック又はスライドの位置に最も近い分割表示領域を１つ削除するように表示制御を行い、結果的に第１画像２０ｃ及び第２画像２０ｄのみを表示させるようにしてもよい。すなわち、タッチセンサ１２がベゼル部１７上の点から始まり、表示領域とベゼル部１７との間の境界線（辺）に略垂直な方向であって且つベゼル部１７の外側方向へ向かうフリック操作又はスライド操作を受け付けた場合、上記点に最も近い分割表示領域を１つ削除するように表示制御を行うようにしてもよい。
【０１１１】
（第４の実施形態）
本発明の第４の実施形態について説明する。本実施形態では、第１〜第３の実施形態における第１〜第３の表示変更処理を行うための上記所定のタッチ操作として、上記スライド操作や上記フリック操作以外を採用したものである。本実施形態では、タッチセンサ１２がマルチタッチ対応である場合に限る。
【０１１２】
本実施形態では、上記所定のタッチ操作をピンチアウト操作とする。このピンチアウト操作はストレッチ操作とも呼ばれる。境界線（第１の実施形態でのように分割表示領域間での境界線であっても、第２，第３の実施形態でのようにベゼル部１７との境界線であっても、同様に適用できる）を含む所定太さの線を挟むように若しくは覆うように２つの指でタッチした後、その２つの指を開くような操作をタッチセンサ１２が受け付けた場合、制御部１０は、新たな分割表示領域を生成し、新たに生成した分割表示領域に別の画像を表示させるように表示制御を行う。但し、第２，第３の実施形態で説明したように、上記表示領域に表示されている画像とは別の画像が表示装置に入力可能な状態である必要がある。
【０１１３】
また、本実施形態では、分割表示領域の削除にも対応させることができる。その場合、上記所定のタッチ操作をピンチイン操作とすればよい。このピンチイン操作は、単にピンチ操作とも呼ばれる。２本の境界線について、各境界線（第１の実施形態でのように分割表示領域間での境界線であっても、第２，第３の実施形態でのようにベゼル部１７との境界線であっても、同様に適用できる）を含む所定太さの線の延長線上を２つの指でタッチした後、その２つの指を閉じるような操作をタッチセンサ１２が受け付けた場合、制御部１０は、その２本の境界線で囲まれる分割表示領域を削除し、残りの画像だけを表示させるように表示制御を行う。
【０１１４】
ここで、本実施形態、並びに第１〜第３の実施形態における黒帯部分の処理について補足する。図３Ｂ，図３Ｄ，図３Ｅに存在するような黒帯部分については、その黒帯がどの画像の表示に際して付されたものであるか（つまりどの画像に属して付されたものであるか）を判定し、その判定結果に基づき黒帯部分も含めて分割表示領域を定め、分割表示領域間の境界線を決めればよい。代替処理として、黒帯部分を除いて分割表示領域を定め、黒帯部分は上記「境界線を含む所定太さの線」と取り扱って処理するようにしてもよい。その場合には、黒帯部分に関しては、幅方向の中心線を境界線と取り扱い、所定太さとして黒帯の幅を採用する（所定太さを黒帯部分の幅に応じて変更する）ようにすればよい。
【０１１５】
（第５の実施形態）
本発明の第５の実施形態について、図５を併せて参照しながら説明する。図５は、本発明の第５の実施形態に係る表示装置の一構成例を示す機能ブロック図である。図５で例示する表示装置５は、図１の表示装置１の詳細な構成例であると言え、第１〜第４のいずれの実施形態にも適用できる。
【０１１６】
図５で例示する表示システムは、ＰＣ４ｐ及びスマートフォン４ｓから出力された映像を用いて表示装置５にて２画面表示が可能となっている。表示装置５は、表示装置１の制御部１０に対応する制御部５０、タッチセンサ１２に対応するタッチパネル５７、表示部１３に対応する表示部５５、及び図２のベゼル部１７に対応するタッチ検出機能付きベゼル５６を備えている。なお、表示装置１の通信部１１に相当する通信部については、表示装置５では接続ケーブルのみ図示している。
【０１１７】
制御部５０は、表示制御部５１、ベゼルタッチ制御部５２、及びタッチパネル制御部５３を有している。また、表示制御部５１は、入力映像処理部５１ａ、画面構成構築部５１ｂ、及び表示処理部５１ｃを有している。ベゼルタッチ制御部５２は、ベゼルタッチ検出部５２ａ及び表示比率計算部５２ｂを有し、タッチパネル制御部５３は、タッチイベント検出部５３ａ、タッチイベント送信部５３ｂ、及びセレクタ５３ｃを有している。
【０１１８】
また、表示装置５には、図３Ａで例示したＰＣ４ｐとスマートフォン４ｓとがそれぞれ上記接続ケーブルで接続されている。ＰＣ４ｐは、その全体を制御する主制御部４１ｐ、表示制御部４２ｐ、及びカーソル制御部４５を備えている。また、スマートフォン４ｓは、その全体を制御する主制御部４１ｓ、表示制御部４２ｓ、表示部４６、及びタッチパネル制御部４７を備えている。表示制御部４２ｐは、映像処理部４３ｐ及び出力処理部４４ｐを有し、表示制御部４２ｓは、映像処理部４３ｓ及び出力処理部４４ｓを有している。
【０１１９】
まず、ＰＣ４ｐ及びスマートフォン４ｓからの映像出力について説明する。ＰＣ４ｐにおいて、映像処理部４３ｐは、表示装置５に出力するための映像に対して様々な映像処理を施し、出力処理部４４ｐは、映像処理後の映像を接続ケーブルを介して出力する処理を行う。カーソル制御部４５は、映像中のカーソルの位置の移動を制御する。カーソル制御部４５は、ＰＣ４ｐのオペレーションシステム（ＯＳ）の一部として組み込むことができる。
【０１２０】
同様に、スマートフォン４ｓにおいて、映像処理部４３ｓは、表示装置５に出力するための映像に対して様々な映像処理を施し、出力処理部４４ｓは、映像処理後の映像を接続ケーブルを介して出力する処理を行う。映像処理部４３ｐ，４３ｓにおける上記映像処理としては、映像の色を補正する処理、映像の回転処理、映像のスケーリング処理、映像から黒帯部分を付与／除去する処理などを含んでもよい。
【０１２１】
また、スマートフォン４ｓは、表示部４６にも表示制御部４２ｓから出力される映像を表示させることが可能となっており、表示部４６には図示しないタッチパネルも搭載されている。このタッチパネル上でのタッチ操作も、後述するタッチパネル制御部４７で受け付けられ、そのタッチ操作の情報（入力座標情報等）に応じた処理が実行される。タッチパネル制御部４７は、スマートフォン４ｓのオペレーションシステム（ＯＳ）の一部として組み込むことができる。無論、ＰＣ４ｐにも同様の表示部（及びタッチパネル）を備えておいてもよい。
【０１２２】
入力映像処理部５１ａは、ＰＣ４ｐやスマートフォン４ｓから入力された映像に対して、映像の色を補正する処理等の映像処理を施して、画面構成構築部５１ｂに出力する。但し、最終的に表示部５５に表示されない映像についてはこの映像処理を施さなくてもよい。
【０１２３】
画面構成構築部５１ｂは、ＰＣ４ｐやスマートフォン４ｓから入力された映像を、後述する表示比率計算部５２ｂからの指示に基づき適宜選択し、スケーリング処理を施し、２画面に合成するなどの画面構成を構築する映像処理を施し、表示処理部５１ｃに出力する。この映像処理には、映像から黒帯部分を付与／除去する処理などを含むことができる。入力映像処理部５１ａでは、別途を実行してもよい。表示処理部５１ｃは、画面構成構築部５１ｂから出力された映像を表示部５５に表示させるような処理を行う。これにより、表示部５５の表示領域に映像が表示される。
【０１２４】
このようにして表示された映像に対し、表示領域においてタッチパネル５７がタッチされた場合の処理について説明する。タッチパネル５７は、表示領域上でタッチ操作がなされると、タッチ操作がなされた位置を特定する情報（入力座標情報）をタッチイベント検出部５３ａに渡す。タッチイベント検出部５３ａは、そのタッチ操作がどのような動作（タッチイベント）であったかを示す情報、例えばスライド操作、フリック操作等であることを示す情報を検出する。タッチイベント検出部５３ａは、上記入力座標情報と上記情報（以下、合わせてタッチ情報と言う）をタッチイベント送信部５３ｂに渡す。
【０１２５】
タッチイベント送信部５３ｂは、そのタッチ情報がＰＣ４ｐ、スマートフォン４ｓのいずれの映像に対する情報であったかを、画面構成構築部５１ｂで構築されている現在の画面の情報と上記入力座標情報とに基づき判定する。
【０１２６】
その判定結果がＰＣ４ｐであった場合、タッチイベント送信部５３ｂは、セレクタ５３ｃにＰＣ４ｐ側に指示を送信できるように指示先を合わせる（切り替える）指示を行い、その後、ＰＣ４ｐにタッチ情報を送信する。そのタッチ情報を受けたＰＣ４ｐは、カーソル制御部４５がそのタッチ情報が示すようにカーソルの位置を移動させたり、文字選択範囲を指定して反転させたり、アイコンを移動させるなどの処理を行う。そして、その処理後の映像は、映像処理部４３ｐで反映され、最終的に表示部５５での表示映像として反映される。
【０１２７】
一方で、その判定結果がスマートフォン４ｓであった場合、タッチイベント送信部５３ｂは、セレクタ５３ｃにスマートフォン４ｓ側に指示を送信できるように指示先を合わせる（切り替える）指示を行い、その後、スマートフォン４ｓにタッチ情報を送信する。そのタッチ情報を受けたスマートフォン４ｓは、タッチパネル制御部４７がそのタッチ情報が示すようにタッチ位置を移動させたり、文字選択範囲を指定して反転させたり、アイコンを移動させるなどの処理を行う。そして、その処理後の映像は、映像処理部４３ｐで反映され、最終的に表示部５５での表示映像として反映される。
【０１２８】
次に、上述のようにして表示された映像に対し、タッチ検出機能付きベゼル５６上がタッチされた場合の処理について説明する。タッチ検出機能付きベゼル５６は、図２で説明したように、ベゼル部１７自体にタッチ検出機能をもたせたものではなく、タッチセンサ１２の端の部分（表示領域の各辺の端の部分）でベゼル部１７上でのタッチ検出が可能であることを示したものである。よって、タッチ検出機能付きベゼル５６は、ベゼル自体と、タッチパネル５７全体のうちの上記端の部分の座標のセンサとで構成されるものとする。無論、上記端の部分の座標のセンサは、表示領域上のタッチ操作を検出するためにも用いられる。
【０１２９】
ベゼル５６は、その上でタッチ操作がなされると、タッチ操作がなされた位置を特定する情報（入力座標情報）をベゼルタッチ検出部５２ａに渡す。ベゼルタッチ検出部５２ａは、そのタッチ操作がどのような動作（ベゼルタッチイベント）であったかを示す情報、例えばスライド操作、フリック操作等であることを示す情報を検出する。
【０１３０】
また、ベゼルタッチ検出部５２ａは、２分割表示以上の分割表示がなされている場合、上記入力座標情報と上記情報（以下、合わせてベゼルタッチ情報と言う）に基づき、そのベゼルタッチ情報が、分割表示領域間の境界線を含む所定太さの線の延長線上であって且つベゼル部１７上の点から始まる、所定のタッチ操作を示しているか否かを判定する。
【０１３１】
この所定のタッチ操作として、境界線に略垂直方向にスライドさせるスライド操作を採用した場合について説明する。ベゼルタッチ検出部５２ａは、上記点から始まり且つそのようなスライド操作であると判定した場合には、上記境界線を移動させるために、対象となる境界線を示す情報とスライドさせた分を示す情報とを、表示比率計算部５２ｂに出力する。
【０１３２】
表示比率計算部５２ｂは、受け取った情報に基づきスライドさせた分だけ境界線を移動させるように各分割表示領域の表示比率を計算し、対象となる境界線を示す情報と共に、画面構成構築部５１ｂに渡す。このとき、必要に応じて黒帯の付加／除去などの指示も画面構成構築部５１ｂに行えばよい。その後、画面構成構築部５１ｂでの画面構成の構築処理及び表示処理部５１ｃでの表示処理により、表示部５５に上記境界線が移動された結果の映像が表示される。
【０１３３】
上記の所定のタッチ操作として、境界線に略垂直方向にフリックさせるフリック操作を採用した場合について説明する。ベゼルタッチ検出部５２ａは、上記点から始まり且つそのようなフリック操作であると判定した場合には、上記境界線を移動させるために、対象となる境界線を示す情報と所定距離を示す情報とを、表示比率計算部５２ｂに出力する。
【０１３４】
表示比率計算部５２ｂは、受け取った情報に基づき所定距離だけ境界線を移動させるように各分割表示領域の表示比率を計算し、対象となる境界線を示す情報と共に、画面構成構築部５１ｂに渡す。このとき、必要に応じて黒帯の付加／除去などの指示も画面構成構築部５１ｂに行えばよい。その後、画面構成構築部５１ｂでの画面構成の構築処理及び表示処理部５１ｃでの表示処理により、表示部５５に上記境界線が移動された結果の映像が表示される。
【０１３５】
なお、ここでは、説明の簡略化のために、第１表示変更処理のみを実行する場合について説明した。他の表示変更処理も併せて採用する場合には、ベゼルタッチ検出部５２ａは、採用する表示変更処理を実行する際に受け付けるタッチ操作に対応するベゼルタッチ情報であるか否かの判定も行い、境界線の移動が必要であれば表示比率計算部５２ｂにその境界線を示す情報やその移動量を示す情報などを渡すようにすればよい。
【０１３６】
（第６の実施形態）
本発明の第６の実施形態について、図６を併せて参照しながら説明する。図６は、本発明の第６の実施形態に係る表示装置の回路構成例を示す図である。図６で例示する表示装置６は、図１の表示装置１や図５の表示装置５の回路構成例であると言え、第１〜第５のいずれの実施形態にも適用できる。
【０１３７】
表示装置６は、ＵＳＢコネクタ６１ａ，６１ｂ、ＵＳＢ Ｉ／Ｆ（インターフェイス）コントローラ６２、デジタル信号処理回路６３、アナログ信号処理回路６４、タッチセンサ６５、ＤＰ（DisplayPort：登録商標）／ＨＤＭＩコネクタ６６ａ，６６ｂ、画像処理回路６７、パネルコントローラ６８、及び表示パネル６９を備えている。
【０１３８】
ここで、パネルコントローラ６８及び表示パネル６９は、表示装置１の表示部１３に対応している。また、アナログ信号処理回路６４及びタッチセンサ６５は、タッチセンサ１２に対応している。ＵＳＢ Ｉ／Ｆコントローラ６２、デジタル信号処理回路６３、及び画像処理回路６７は、制御部１０に対応している。ＵＳＢコネクタ６１ａ，６１ｂ及びＤＰ／ＨＤＭＩコネクタ６６ａ，６６ｂは、通信部１１に対応している。なお、図６においては、実線の矢印でタッチに関する信号、破線の矢印で映像に関する信号を示している。
【０１３９】
ＤＰ／ＨＤＭＩコネクタ６６ａ，６６ｂはいずれも、ＤＰケーブル又はＨＤＭＩケーブルと接続するためのＩ／Ｆである。ＤＰ／ＨＤＭＩコネクタ６６ａはＤＰケーブル又はＨＤＭＩケーブルを介して図３Ａや図５におけるＰＣ４ｐに接続されており、ＤＰ／ＨＤＭＩコネクタ６６ｂはＤＰケーブル又はＨＤＭＩケーブルを介して図３Ａや図５におけるスマートフォン４ｓに接続されている。ＤＰケーブル又はＨＤＭＩケーブルを介して、ＰＣ４ｐやスマートフォン４ｓから映像信号が表示装置６に送信され、画像処理回路６７に出力される。
【０１４０】
画像処理回路６７は、このようにして外部から入力された映像信号を、表示パネル６９に出力する信号に変換し、パネルコントローラ６８に出力する回路であり、スケーラや黒帯付加／除去回路等も有している。画像処理回路６７は、入力ソースの切り替え、音量調整などの表示装置６における各種設定の変更を受け付けるためのＯＳＤ画像を映像に重畳する処理も行う。パネルコントローラ６８は、表示パネル６９を駆動する駆動回路であり、表示パネル６９はこの駆動により、画像処理回路６７から出力された映像信号が示す映像を表示させる。
【０１４１】
ＵＳＢコネクタ６１ａ，６１ｂはいずれも、ＵＳＢケーブルと接続するためのＩ／Ｆである。ＵＳＢコネクタ６１ａはＵＳＢケーブルを介して図３Ａや図５におけるＰＣ４ｐに接続されており、ＵＳＢコネクタ６１ｂはＵＳＢケーブルを介して図３Ａや図５におけるスマートフォン４ｓに接続されている。ＵＳＢケーブルを介して、表示装置６から操作信号がＰＣ４ｐやスマートフォン４ｓに送信される。ＵＳＢ Ｉ／Ｆコントローラ６２は、ＵＳＢコネクタ６１ａにＵＳＢケーブルを介して接続されたＰＣ４ｐやＵＳＢコネクタ６１ｂにＵＳＢケーブルを介して接続されたスマートフォン４ｓとの間で、ＵＳＢ規格のプロトコルに従って信号のやり取りを行う制御回路である。
【０１４２】
タッチセンサ６５は、図２を参照して説明したように、表示パネル６９の表示領域に対応する範囲でマトリクス状に設けられた静電容量方式のセンサであり、表示パネル６９の上に重ねて設けられている。アナログ信号処理回路６４は、タッチセンサ６５の駆動を行うと共に、タッチセンサ６５からのアナログの検出信号を入力する回路である。この検出信号は、例えば、タッチ操作がなされた位置を特定する情報（入力座標情報）とその位置での静電容量の変化量の値とを示す信号である。アナログ信号処理回路６４は、入力した検出信号をそのまま、或いはノイズ処理等を施してから、デジタル信号処理回路６３に出力する。
【０１４３】
デジタル信号処理回路６３は、アナログ信号処理回路６４からアナログの検出信号を入力し、所定の演算を行い、デジタル情報としてのタッチ情報に変換し、ＵＳＢ Ｉ／Ｆコントローラ６２に出力する回路である。この所定の演算は、図２を参照しながら説明したような条件Ｉ〜ＩＩＩの判定を含む。よって、デジタル信号処理回路６３により、タッチ操作が表示パネル６９の表示領域上でなされたのか、ベゼル部上でなされたのかについてや、どのようなタッチ操作がなされたのかについても区別できる。
【０１４４】
ＵＳＢ Ｉ／Ｆコントローラ６２は、入力されたタッチ情報が表示領域上でなされたものであるのか、ベゼル部上でなされたものであるのかによって、タッチ情報の出力先を振り分ける。ＵＳＢ Ｉ／Ｆコントローラ６２は、表示領域上でなされたものである場合には、現在の画面構成（分割表示領域の配列）に基づきＵＳＢコネクタ６１ａ，６１ｂのいずれかを選択してそのタッチ情報をＰＣ４ｐ、スマートフォン４ｓのいずれかに出力する。ＰＣ４ｐ、スマートフォン４ｓは、そのタッチ情報を反映させた映像信号をそれぞれＤＰ／ＨＤＭＩコネクタ６６ａ，６６ｂを介して送信し、最終的に表示パネル６９での表示映像に反映されることになる。
【０１４５】
一方、ＵＳＢ Ｉ／Ｆコントローラ６２は、入力されたタッチ情報がベゼル部上でなされたものである場合には、そのタッチ情報（つまりベゼルタッチ情報）を画像処理回路６７に出力する。画像処理回路６７は、そのベゼルタッチ情報を反映させて分割表示領域間の境界線の移動を行うように画面構成を構築するなどの映像処理を施す。この映像処理の結果は、最終的に表示パネル６９での表示映像に反映されることになる。なお、上記条件Ｉ〜ＩＩＩの判定の一部又は全部をＵＳＢ Ｉ／Ｆコントローラ６２側で実行するような構成を採用することもできる。
【０１４６】
表示装置６は、上述のような構成であるため、ベゼルタッチを検出するに際しては、例えば、従来のタッチセンサ６５をそのまま用いて（従来のタッチセンサ６５のハードウェア構成を変更することなく）、デジタル信号処理回路６３及び／又はＵＳＢ Ｉ／Ｆコントローラ６２に組み込まれたソフトウェア（ファームウェア）の変更のみで対応できる。
【０１４７】
（第７の実施形態）
本発明の第７の実施形態について説明する。第１〜第６の実施形態では、全表示領域に表示される画像や分割表示領域に表示される画像のそれぞれが異なるソース機器から入力された画像であることを前提として説明した。つまり、第１〜第６の実施形態では、Ｎ個の画像ソースから入力したＮ個の画像を分割表示することを前提として説明した。
【０１４８】
しかしながら、本発明に係る表示装置は、これに限ったものではない。本実施形態においては、分割表示領域に表示される画像のそれぞれは、ＰＣ等の１つのソース機器から入力されたマルチウィンドウ画像を構成するウィンドウ画像（マルチウィンドウの各ウィンドウ）であることを前提とする。この前提は、図１で説明すると、表示装置１へ入力される第１画像及び第２画像がいずれも、１つの同じマルチウィンドウ画像を構成する部分画像であることを意味する。
【０１４９】
本実施形態の主たる特徴について図１の構成例で説明する。本実施形態における制御部１０は、第１〜第３の表示変更処理を行うための上記所定のタッチ操作（第４の実施形態のようなピンチ操作も適用できる）を受け付けた場合、上記ソース機器に対して上記境界線の移動（サイズの変更）を指示する。
【０１５０】
なお、本実施形態を第２〜第４の実施形態に適用する場合、上記入力可能な状態としては、表示部１３でマルチウィンドウ画像を表示中に制御部１０からの指示により、例えばソース機器側で追加のアプリケーションを実行してそのアプリケーションにより構成画像が追加できる状態か、若しくはソース機器側で現在稼働中のアプリケーションにより現在開かれているファイルとは別ファイルを開くことで構成画像が追加できる状態であればよい。
【０１５１】
そして、制御部１０は、上記指示に基づき上記ソース機器側で変更された後のマルチウィンドウ画像を受信して、表示部１３に表示させる。これにより、表示部１３には境界線が移動されたマルチウィンドウ画像が表示されることになる。
【０１５２】
実際、例えばＷｉｎｄｏｗｓにおいては、それぞれのウィンドウ画像を整列するＡＰＩ（Application Programming Interface）が提供されている。これを利用し、制御部１０においてベゼルタッチによる表示変更処理をこのＡＰＩのウィンドウ処理に変換する変換処理を行って、上記指示をソース機器であるＰＣ側に送信するようにすればよい。つまり、このような変換処理を行うための専用アプリケーションを制御部１０で実行可能に組み込めば、上述のようなマルチウィンドウ画像の変更が実現できる。
【０１５３】
特に、Ｗｉｎｄｏｗｓ ８．１においては２画面の境界バーがタッチ可能で且つそれら２画面の比率変更可能となっているため、適切なウィンドウの調整処理（ウィンドウの大きさに応じたアプリケーションでのファイル表示の最適化処理）を可能にするような上記専用アプリケーションを容易に構築することができる。
【０１５４】
また、本実施形態に係る表示装置は、図６の回路構成例で説明すると、ＵＳＢコネクタ６１ｂ及びＤＰ／ＨＤＭＩコネクタ６６ｂを除外した回路構成として例示できる。但し、上記指示はベゼルタッチ情報に基づくものであるが、第１〜第５の実施形態とは異なり、画像処理回路６７に対して行うのではなく、ＵＳＢコネクタ６１ａを介してソース機器に行う。この場合、画像処理回路６７は、ソース機器から受信したマルチウィンドウ画像の信号を表示パネル６９で表示可能なように変換するだけで済む。
【０１５５】
次に、図７を併せて参照しながら本実施形態の好ましい例について説明する。図７は、本発明の第７の実施形態に係る表示装置における表示変更処理の一例を説明するための図である。
【０１５６】
図７で例示する表示装置７は、外部のＰＣから、画像７３と画像７４とで構成されるマルチウィンドウ画像７１を入力し、それを表示している。画像７３と画像７４とはＰＣにおいて別々のアプリケーションで開いた別ファイルの画像、若しくは同じアプリケーションで開いた別ファイルの画像とする。
【０１５７】
ユーザは、隣接する画像７３と画像７４の表示比率を変更したい場合、その境界線を含む所定太さの線の延長線上であってベゼル部７２上の点を図７で図示するようにタッチし、境界線を移動させたい方向にスライド操作（又はフリック操作）すればよい。これにより、表示装置７からＰＣに境界線の移動が指示され、ＰＣでその指示に従った移動（表示比率の変更）が施され、その結果のマルチウィンドウ画像が表示装置７に返されて表示に反映される。ＰＣでは、境界線の移動の指示を受けた際に（若しくは上記点をタッチした段階で）、中心点及びその左右に配された矢印でなるポインタ７５を表示させて、ベゼルタッチによる境界線の移動がなされることを、ユーザに分かり易く示すことが好ましい。
【０１５８】
以上、本実施形態では、分割表示領域に表示される画像がいずれもマルチウィンドウ画像を構成するウィンドウ画像であることを前提に説明した。しかし、図３Ａで例示したＰＣ４ｐからマルチウィンドウ画像が入力され、スマートフォン４ｓから通常の画像（１画面用の画像）が入力されるような場面も、本実施形態を適用できる。
【０１５９】
具体的に説明すると、マルチウィンドウ画像内の境界線を移動させるようなベゼルタッチを受け付けた場合には、そのソース機器側にその移動を指示すればよい。また、通常の画像間の境界線や通常の画像とマルチウィンドウ画像全体との間の境界線を移動させるようなベゼルタッチを受け付けた場合には、第１〜第６の実施形態の表示変更処理を適用し、表示装置側で境界線の移動を行えばよい。
【０１６０】
（第８の実施形態）
本発明の第８の実施形態に係る表示装置として、それ自体にコンテンツを再生するコンテンツ再生機能をもたせた装置について簡単に説明する。上述したように、このような構成の場合、本発明に係る表示装置は、外部のソース機器に接続するための構成を具備しない装置であってもよい。
【０１６１】
コンテンツ再生機能を有する表示装置においても、第１〜第７の実施形態における「ソース機器」からの画像を入力することはでき、本発明に係る各種の表示変更処理を実行することができることは言及するまでもない。また、外部のソース機器に接続するための構成をもたない表示装置では、第１〜第７の実施形態における「ソース機器」が、表示装置内の記憶装置又はコンテンツ表示（再生）アプリケーション等に該当すると捉えれば、第１〜第７の実施形態での説明が援用できる。
【０１６２】
テレビ装置を例に挙げて説明すると、本発明のような表示変更処理は、例えばレコーダ機器等の外部の複数のソース機器からの画像のみを表示する場面で適用することもできるし、内部の２以上のコンテンツ（放送波として受信した地上デジタル放送コンテンツや衛星放送コンテンツなど）の画像のみを表示する場面でも適用することもできる。また、外部のソース機器からの画像と内部のコンテンツの画像を同時に表示する場面でも適用することができる。
【０１６３】
（その他）
以上、本発明に係る表示装置について説明したが、処理の流れをフロー図で例示したように、本発明は、画像を表示する表示部と、ユーザによる上記表示部の表示領域上でのタッチ操作を検出する静電容量方式のタッチセンサと、上記表示部での表示制御を行う制御部と、上記表示部の周囲に設けられたベゼル部と、を備えた表示装置における表示方法や、その表示方法をコンピュータ（表示装置の制御部）に実行させるためのプログラムとしての形態も採り得る。
【０１６４】
この表示方法は、上記表示領域を２以上に分割してなる分割表示領域のそれぞれに画像が表示された状態で、上記タッチセンサが上記分割表示領域間の境界線を含む所定太さの線の延長線上であって且つ上記ベゼル部上の点から始まる、所定のタッチ操作を受け付けた場合、上記制御部が、上記境界線を移動させるように表示制御を行う。その他の応用例については、表示装置について説明した通りであり、その説明を省略する。
【０１６５】
上記プログラムは、換言すると、この表示方法を、上記表示部、上記タッチセンサ、及び上記ベゼル部を備えたコンピュータに実行させるためのプログラムである。すなわち、このプログラムは、上記コンピュータに、上記表示部の表示領域を２以上に分割してなる分割表示領域のそれぞれに画像が表示された状態で、上記タッチセンサが上記分割表示領域間の境界線を含む所定太さの線の延長線上であって且つ上記ベゼル部上の点から始まる、所定のタッチ操作を受け付けた場合、上記境界線を移動させるように表示制御を行うステップを実行させるためのプログラムである。その他の応用例については、表示装置について説明した通りであり、その説明を省略する。
【０１６６】
また、上記プログラムをコンピュータにより読み取り可能な記録媒体に記録したプログラム記録媒体としての形態についても容易に理解することができる。このコンピュータとしては、上述したように、汎用のＰＣに限らず、マイクロコンピュータやプログラム可能な汎用の集積回路／チップセットなど、様々な形態のコンピュータが適用できる。また、このプログラムは、可搬の記録媒体を介して流通させるに限らず、インターネット等のネットワークを介して、また放送波を介して流通させることもできる。ネットワークを介して受信するとは、外部サーバの記憶装置などに記録されたプログラムを受信することを指す。
【符号の説明】
【０１６７】
１，５，６，７…表示装置、４ｐ…ＰＣ、４ｓ…スマートフォン、１０，５０…制御部、１１…通信部、１２，６５…タッチセンサ、１２ａ…タッチパネルユニット、１２ｂ…外枠部分、１２ｄ，５７…タッチパネル、１３，５５…表示部、１３ａ…液晶ユニット、１３ｂ…液晶パネル、１３ｃ…光学シート、１３ｄ…導光板、１３ｅ…反射シート、１３ｆ…ＬＥＤ基板、１４ａ…前面化粧パネル、１４ｂ…ベゼル領域部分、１４ｄ…表示領域部分、１５ａ…背面シャーシ、１５ｂ…パネル固定部材、１５ｃ…ＬＥＤ基板固定部材、１５ｄ，１５ｅ…スペーサ、１６ａ…背面キャビネット、１６ｂ…側面キャビネット、１７…ベゼル部、５１…表示制御部、５１ａ…入力映像処理部、５１ｂ…画面構成構築部、５１ｃ…表示処理部、５２…ベゼルタッチ制御部、５２ａ…ベゼルタッチ検出部、５２ｂ…表示比率計算部、５３…タッチパネル制御部、５３ａ…タッチイベント検出部、５３ｂ…タッチイベント送信部、５３ｃ…セレクタ、５６…ベゼル、６１ａ，６１ｂ…ＵＳＢコネクタ、６２…ＵＳＢ Ｉ／Ｆコントローラ、６３…デジタル信号処理回路、６４…アナログ信号処理回路、６６ａ，６６ｂ…ＤＰ／ＨＤＭＩコネクタ、６７…画像処理回路、６８…パネルコントローラ、６９…表示パネル、７１…マルチウィンドウ画像、７２…ベゼル部、７３，７４…画像、７５…ポインタ。
【図１】
2015088085.tif 000003
【図２】
2015088085.tif 000004
【図３Ａ】
2015088085.tif 000005
【図３Ｂ】
2015088085.tif 000006
【図３Ｃ】
2015088085.tif 000007
【図３Ｄ】
2015088085.tif 000008
【図３Ｅ】
2015088085.tif 000009
【図４】
2015088085.tif 000010
【図５】
2015088085.tif 000011
【図６】
2015088085.tif 000012
【図７】
2015088085.tif 000013